(57)【特許請求の範囲】
【請求項１】
底壁、および前記底壁と隙間を置いて対向した天井壁を有する筐体と、
前記筐体内に配設されたディスク状の記録媒体と、
前記筐体内に配設され、前記記録媒体を支持および回転する駆動モータと、
前記記録媒体に対して情報処理を行うヘッドと、
前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、
前記ヘッドアクチュエータが前記退避位置に移動している状態で外力を受けた際、前記アクチュエータをラッチして前記退避位置に保持するイナーシャラッチ機構と、を備え、
前記イナーシャラッチ機構は、
ベース板と、
ベース板に立設された第１枢軸および第２枢軸と、
前記ヘッドアクチュエータを前記退避位置にラッチするラッチ位置と、前記ヘッドアクチュエータから離間してラッチを解除する解除位置と、の間を、前記第１枢軸の周りで回動自在に支持されたラッチアームと、
前記第２枢軸に回動可能に支持されているとともに、外力を受けた際に前記第２枢軸の回りで回動することで、前記ラッチアームを前記解除位置からラッチ位置へ回動させるイナーシャアームと、
前記第１および第２枢軸を間に挟んで前記ベース板と対向しているとともに、前記第１枢軸および第２枢軸からの前記ラッチアームおよびイナーシャアームの脱落を防止する上面板と、を有し、モジュール化され、
前記モジュール化されたイナーシャラッチ機構は、前記ベース板が前記底壁上に取り付けられ、前記上面板が前記天井壁に当接した状態で前記底壁と天井壁との間に配置され、前記天井壁を支持しているディスク装置。
【請求項２】
前記上面板を含むイナーシャラッチ機構のフレームに取り付けられ、前記筐体内の塵を捕獲する循環フィルタを備えている請求項１に記載のディスク装置。
【請求項３】
底壁、および前記底壁と隙間を置いて対向した天井壁を有する筐体と、前記筐体内に配設されたディスク状の記録媒体と、前記筐体内に配設され、前記記録媒体を支持および回転させる駆動モータと、前記記録媒体に対して情報処理を行うヘッドと、前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、前記ヘッドアクチュエータが前記退避位置に移動している状態で外力を受けた際、前記アクチュエータをラッチして前記退避位置に保持するイナーシャラッチ機構と、を備えたディスク装置の製造方法であって、
前記イナーシャラッチ機構のベース板に立設された第１枢軸および第２枢軸にそれぞれラッチアームおよびイナーシャアームを回転自在に装着するとともに、上面板によりラッチアームおよびイナーシャアームの抜けを規制し、モジュール化されたイナーシャラッチ機構を形成し、
前記モジュール化されたイナーシャラッチ機構の下面板および駆動モータを前記筐体の底壁に取り付け、
前記駆動モータに記録媒体を装着するとともに、前記筐体の底壁にヘッドアクチュエータを取り付け、
前記底壁に対向して前記天井壁を配置し、前記底壁および天井壁により前記筐体の一部を構成し、当該天井壁を前記イナーシャラッチ機構の上面板に固定するディスク装置の製造方法。
【発明の詳細な説明】
【技術分野】
【０００１】
この発明は、ヘッドアクチュエータのイナーシャラッチ機構を備えたディスク装置、およびディスク装置の製造方法に関する。
【背景技術】
【０００２】
近年、パーソナルコンピュータ等の電子機器においては、大容量のディスク装置として、例えば、磁気ディスク装置が広く用いられている。一般に、磁気ディスク装置は、ケース内に配設された磁気ディスク、磁気ディスクを支持および回転駆動するスピンドルモータ、磁気ヘッドを支持したヘッドアクチュエータ、ヘッドアクチュエータを駆動するボイスコイルモータ（以下、ＶＣＭと称する）、基板ユニット等を備えている。ＶＣＭは、ヘッドアクチュエータに取り付けられたボイスコイルと、ケース側に取り付けられた一対のヨークおよび永久磁石とで構成されている。
【０００３】
また、近年、携帯可能な小型のパーソナルコンピュータが普及しつつあり、この種のパーソナルコンピュータに搭載される磁気ディスク装置は、携帯時における衝撃等に対する信頼性の向上が求められている。
【０００４】
そこで、磁気ディスク装置の非作動時に磁気ヘッドを所定位置に保持する機構として、ランプロード機構を備えたものが提案されている。このランプロード機構は、磁気ディスクの外側に設けられたランプを備え、磁気ディスク装置の非作動時、ヘッドアクチュエータは磁気ディスクの外周に位置した退避位置まで回動され、サスペンションがランプに乗り上げる。これにより、磁気ヘッドは、磁気ディスク表面から離間した退避位置に保持され、衝撃を受けた際に磁気ディスクとの衝突が防止される。
【０００５】
更に、この種の磁気ディスク装置として、耐衝撃性を一層高めるため、イナーシャラッチ機構を備えたものが提案されている。このイナーシャラッチ機構は、非作動時、磁気ディスク装置に衝撃が作用すると、ヘッドアクチュエータと係合してその回動を規制し、ヘッドアクチュエータを退避位置に保持する。
【０００６】
このイナーシャラッチ機構は、外部からの衝撃加速度により正逆両方向に回転するイナーシャアーム、およびこのイナーシャアームの回転により付勢されて一方向に回転するラッチアームを有している。非作動時における衝撃発生時、ラッチアームがヘッドアクチュエータと係合することによりヘッドアクチュエータを退避位置に保持する（例えば、特許文献１）。
【特許文献１】特開２００３−５１１６５
【発明の開示】
【発明が解決しようとする課題】
【０００７】
上述した構成のイナーシャラッチ機構では、イナーシャアームおよびラッチアームは、それぞれケースの底壁に立設された枢軸により回動自在に支持されている。近年、磁気ディスク装置の小型化に伴ない、ケースも小型化し板厚も薄くなっている。このような板厚の薄い底壁に枢軸を立てることが困難となっている。
【０００８】
磁気ディスク装置の小型化に伴ない、イナーシャラッチ機構のイナーシャアームおよびラッチアームも非常に小さな部品となっている。磁気ディスク装置の組み立て時、種々の部品が組み込まれたケースに立設された枢軸に対して、上記のような小さな部品を装着する作業は非常に困難であり、作業性が低下する。
【０００９】
この発明は以上の点に鑑みなされたもので、その目的は、一層の小型化が可能であるとともに、組み立て性に優れたディスク装置およびその製造方法を提供することにある。
【課題を解決するための手段】
【００１０】
上記目的を達成するため、この発明の態様に係るディスク装置は、底壁、および前記底壁と隙間を置いて対向した天井壁を有する筐体と、前記筐体内に配設されたディスク状の記録媒体と、前記筐体内に配設され、前記記録媒体を支持および回転する駆動モータと、前記記録媒体に対して情報処理を行うヘッドと、前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、前記ヘッドアクチュエータが前記退避位置に移動している状態で外力を受けた際、前記アクチュエータをラッチして前記退避位置に保持するイナーシャラッチ機構と、を備え、
前記イナーシャラッチ機構は、ベース板と、ベース板に立設された第１枢軸および第２枢軸と、前記ヘッドアクチュエータを前記退避位置にラッチするラッチ位置と、前記ヘッドアクチュエータから離間してラッチを解除する解除位置と、の間を、前記第１枢軸の周りで回動自在に支持されたラッチアームと、前記第２枢軸に回動可能に支持されているとともに、外力を受けた際に前記第２枢軸の回りで回動することで、前記ラッチアームを前記解除位置からラッチ位置へ回動させるイナーシャアームと、前記第１および第２枢軸を間に挟んで前記ベース板と対向しているとともに、前記第１枢軸および第２枢軸からの前記ラッチアームおよびイナーシャアームの脱落を防止する上面板と、を有し、モジュール化され、
前記モジュール化されたイナーシャラッチ機構は、前記ベース板が前記底壁上に取り付けられ、前記上面板が前記天井壁に当接した状態で前記底壁と天井壁との間に配置され、前記天井壁を支持している。
【００１１】
この発明の他の態様に係るディスク装置の製造方法は、底壁、および前記底壁と隙間を置いて対向した天井壁を有する筐体と、前記筐体内に配設されたディスク状の記録媒体と、前記筐体内に配設され、前記記録媒体を支持および回転させる駆動モータと、前記記録媒体に対して情報処理を行うヘッドと、前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、前記ヘッドアクチュエータが前記退避位置に移動している状態で外力を受けた際、前記アクチュエータをラッチして前記退避位置に保持するイナーシャラッチ機構と、を備えたディスク装置の製造方法であって、
前記イナーシャラッチ機構のベース板に立設された第１枢軸および第２枢軸にそれぞれラッチアームおよびイナーシャアームを回転自在に装着するとともに、上面板によりラッチアームおよびイナーシャアームの抜けを規制し、モジュール化されたイナーシャラッチ機構を形成し、前記モジュール化されたイナーシャラッチ機構の下面板および駆動モータを前記筐体の底壁に取り付け、前記駆動モータに記録媒体を装着するとともに、前記筐体の底壁にヘッドアクチュエータを取り付け、前記底壁に対向して前記天井壁を配置し、前記底壁および天井壁により前記筐体の一部を構成し、当該天井壁を前記イナーシャラッチ機構の上面板に固定する。
【発明の効果】
【００１２】
この発明の態様によれば、一層の小型化が可能であるとともに、組み立て性に優れたディスク装置およびその製造方法を提供することができる。
【発明を実施するための最良の形態】
【００１３】
以下図面を参照しながら、この発明の第１の実施形態に係るハードディスクドライブ（以下ＨＤＤと称する）について詳細に説明する。  
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴが３ないし６ｍｍに形成されている。厚さＴは、収納するディスクの枚数に応じて、例えば、３．３ｍｍあるいは５ｍｍ程度に設定されている。
【００１４】
図１ないし図３に示すように、筐体１０は、互いにほぼ等しい寸法に形成された第１シェル１０ａおよび第２シェル１０ｂにより構成されている。第１および第２シェル１０ａ、１０ｂは、それぞれ金属板をプレス加工することによりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形状の底壁１１および天井壁１４、底壁の周囲に立設された４つの側壁を有した矩形箱状の筐体１０が構成されている。
【００１５】
第１シェル１０ａの底壁１１は矩形状の外面を形成している。底壁１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１６】
図１および図２に示すように、プリント回路基板からなる制御回路基板１２は筐体１０の底壁１１とほぼ等しい長さおよび幅を有した矩形状を有している。底壁１１には、スピンドルモータ２２に対応した図示しない円形の凸部、および軸受組立体５２に対応した図示しない円形の凸部がそれぞれ形成されている。制御回路基板１２には、これらの凸部にそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。
【００１７】
制御回路基板１２の内面上、つまり、筐体１０と対向する面上には、複数の電子部品７４、およびコネクタ７１が実装されている。制御回路基板１２には、ＨＤＤを外部機器と電気的に接続するためのフレキシブルプリント回路基板７３が接続され、制御回路基板の短辺から外側へ導出している。フレキシブルプリント回路基板７３の延出端には複数の接続端子７５が設けられている。
【００１８】
制御回路基板１２は、筐体１０の底壁１１に重ねて配置され、複数のねじにより第１シェル１０ａにねじ止めされている。この際、制御回路基板１２は、４つの辺が底壁１１の４辺とそれぞれ整列した状態、つまり、底壁１１の４辺と一致した状態で配置されている。底壁１１に形成された凸部は、それぞれ制御回路基板１２の開口７２ａ、７２ｂ内に配置されている。制御回路基板１２上に実装されたコネクタ７１は、後述する基板ユニット３４のコネクタ３４ｃに接続される。
【００１９】
制御回路基板１２の４つの角部に形成された切欠き部７７は、それぞれ底壁１１の４つの角部に位置している。これにより、底壁１１の４つの角部は制御回路基板１２によって覆われることなく外部に露出している。底壁１１の露出した４つの角部を含む筐体１０の角部は、制御回路基板１２に接触することなく筐体を保持するための保持部７８をそれぞれ構成している。
【００２０】
図２および図３に示すように、筐体１０内には、情報記録媒体として機能する例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、衝撃印加時にキャリッジを退避位置に保持するイナーシャラッチ機構３２、およびヘッドＩＣ等を有する基板ユニット３４等が収納されている。
【００２１】
スピンドルモータ２２は、第１シェル１０ａに取り付けられている。スピンドルモータ２２は枢軸３６を有し、この枢軸は第１シェル１０ａの底壁１１内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００２２】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００２３】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００２４】
ヘッドアクチュエータを構成するキャリッジ２６は、第１シェル１０ａの底壁内面上に固定された軸受組立体５２を備えている。軸受組立体５２は、底壁１１の内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００２５】
図３に示すように、キャリッジ２６は、ハブ５４から延出したアーム５８、アームの先端から延出した細長い板状のサスペンション６０、ハブ５４からアームと反対方向に延出した支持フレーム６２を備えている。キャリッジ２６は、支持フレーム６２から外方、すなわち、軸受組立体５２に対して放射方向に突出した係合突起６１を備えている。
【００２６】
サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２７】
図３および図８に示すように、キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した磁石６５と、を備えている。キャリッジ２６を第１シェル１０ａに組み込んだ状態において、ボイスコイル６４は一方のヨーク６３と磁石６５との間に位置している。ボイスコイル６４に通電することにより、キャリッジ２６は、図３に示す退避位置と磁気ヘッド２４が磁気ディスク２０の表面上に位置する情報処理位置との間を回動し、磁気ヘッド２４は磁気ディスク２０の所望のトラック上に位置決めされる。
【００２８】
図３に示すように、ランプロード機構３０は、第１シェル１０ａの底壁内面に固定され磁気ディスク２０の周縁部に対向したランプ部材７０と、サスペンション６０の先端から延出し係合部材として機能するタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。
【００２９】
基板ユニット３４は、フレキシブルプリント回路基板により形成された本体３４ａを有し、この本体３４ａは第１シェル１０ａの底壁内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ３４ｃが実装されている。このコネクタ３４ｃは、第１シェル１０ａの底壁に形成された開孔を介して第１シェルの底壁１１に露出し、制御回路基板１２のコネクタ７１に接続されている。
【００３０】
図２および図３に示すように、イナーシャラッチ機構３２は、第１シェル１０ａの底壁１１上に設けられ、ＨＤＤが衝撃等の外力を受けた際、退避位置に移動したキャリッジ２６をラッチし、キャリッジ２６が退避位置から情報処理位置へ移動することを防止する。
【００３１】
図４および図５に示すように、イナーシャラッチ機構３２は、ラッチアーム７６、イナーシャアーム８０、およびこれらのアームを回転自在に支持した保持フレーム８１を有し、１つのユニットとしてモジュール化されている。保持フレーム８１は、ベース板８２と、ベース板にほぼ垂直に立設された第１枢軸８３ａおよび第２枢軸８３ｂと、第１および第２枢軸を間に挟んでベース板と対向した上面板８４と、を有している。上面板８４は、一対の脚部８５を一体に有し、これら脚部の延出端がベース板８２に固定されている。上面板８４のほぼ中央部には、ねじ孔８６が形成されている。保持フレーム８１は、金属あるいは合成樹脂により形成されている。
【００３２】
ラッチアーム７６は、本体７６ａと本体から延出したアーム部７６ｂとを一体に有している。ラッチアーム７６は、本体７６ａに形成された透孔８７に第１枢軸８３ａを挿通することにより、第１枢軸の周りで回動自在に支持されている。アーム部７６ｂの延出端には、キャリッジ２６の支持フレーム６２に形成された係合突起６１と係合可能なラッチ爪７６ｃが形成されている。本体７６ａには第１係合ピン８８ａおよび第２係合ピン８８ｂが突設され、第１枢軸８３ａと平行に延びているとともに透孔８７の両側に位置している。ラッチアーム７６は、金属あるいは合成樹脂により形成されている。
【００３３】
イナーシャアーム８０は、本体８０ａと、本体から一方向に延出した第１アーム部８０ｂと、本体から第１アーム部と反対の方向へ延出した第２アーム部８０ｃと、を一体に有している。イナーシャアーム８０は、本体８０ａに形成された透孔９０に第２枢軸８３ｂを挿通することにより、第２枢軸の周りで回動自在に支持されている。
【００３４】
第１アーム部８０ｂは、第２枢軸８３ｂと直交する方向に延びているとともに、ラッチアーム７６の第１係合ピン８８ａと第２係合ピン８８ｂとの間を通って延びている。そして、第１アーム部８０ｂは、これらの第１係合ピン８８ａおよび第２係合ピン８８ｂと係合している。第２アーム部８０ｃは、保持フレーム８１の外側まで延出している。イナーシャアーム８０は、金属あるいは合成樹脂により形成されている。
【００３５】
保持フレーム８１の上面板８４は、イナーシャアーム８０と対向して位置し、第２枢軸８３ｂからのイナーシャアーム８０の抜け、脱落を防止している。これにより、上面板８４は、抜け止め部を構成している。更に、保持フレーム８１の外面には、ホルダ９２が一体に形成され、このホルダ９２により循環フィルタ９４が保持されている。
【００３６】
図２、図３、図６ないし図８に示すように、上記のようにモジュール化されたイナーシャラッチ機構３２は、筐体１０内において、キャリッジ２６の支持フレーム６２近傍に設けられている。また、イナーシャラッチ機構３２は、保持フレーム８１のベース板８２を第１シェル１０ａの底壁内面に固定した状態で筐体１０内に配設されている。ベース板８２は、接着あるいはねじ止めにより底壁１１に固定されている。循環フィルタ９４は、磁気ディスク２０の外周近傍に配置され、磁気ディスクの回転によって生じる空気流が当たる位置に設けられている。これにより、循環フィルタ９４は、筐体１０内の塵を捕獲する。
【００３７】
図８に示すように、保持フレーム８１の上面板８４は、第２シェル１０ｂの天井壁１４内面に当接しているとともに、天井壁１４の外側からねじ込まれたねじ９５により天井壁にねじ止されている。これにより、保持フレーム８１は、筐体１０の底壁１１および天井壁１４を支える支柱としても機能している。
【００３８】
図７に示すように、ＨＤＤの通常の動作状態において、イナーシャラッチ機構３２のラッチアーム７６は、図示の解除位置に保持されている。解除位置において、ラッチアーム７６のラッチ爪７６ｃは、キャリッジ２６の係合突起６１から離間し、キャリッジ２６の回動動作を許容している。
【００３９】
キャリッジ２６が退避位置に移動した状態でＨＤＤに外力が作用した場合、例えば、矢印Ｂ方向の外力が作用した場合、イナーシャアーム８０が第２枢軸８３ｂの回りで時計方向に回動する。すると、イナーシャアーム８０の第１アーム部８０ｂがラッチアーム７６の第２係合ピン８８ｂを押圧し、ラッチアームを第１枢軸８３ａの周りで反時計方向に回動させる。これにより、ラッチアーム７６はラッチ位置に移動し、ラッチ爪７６ｃがキャリッジ２６の係合突起６１と係合してキャリッジ２６をラッチする。従って、キャリッジ２６はラッチ爪により回動動作が規制され、退避位置に保持される。
【００４０】
キャリッジ２６が退避位置に移動した状態でＨＤＤに外力が作用した場合、例えば、矢印Ｃ方向の外力が作用した場合、イナーシャアーム８０が第２枢軸８３ｂの回りで反時計方向に回動する。すると、イナーシャアーム８０の第１アーム部８０ｂがラッチアーム７６の第１係合ピン８８ａを押圧し、ラッチアームを第１枢軸８３ａの周りで反時計方向に回動させる。これにより、ラッチアーム７６はラッチ位置に移動し、ラッチ爪７６ｃがキャリッジ２６の係合突起６１と係合してキャリッジ２６をラッチする。従って、キャリッジ２６はラッチ爪により回動動作が規制され、退避位置に保持される。
【００４１】
上記のように、ＨＤＤに衝撃等の外力が作用した場合でも、イナーシャラッチ機構３２によってキャリッジ２６の不用意な移動を規制し、磁気ヘッドが磁気ディスク２０に衝突して損傷するといった不具合を防止することができる。
【００４２】
上記のように構成されたＨＤＤを製造する場合、まず、第１および第２シェル１０ａ、１０ｂを、例えば、プレス成形により形成する。続いて、イナーシャラッチ機構３２を組み立てる。この場合、ベース板８２上に立設された第１および第２枢軸８３ａ、８３ｂにラッチアーム７６およびイナーシャアーム８０を順番に装着する。その後、上面板８４をラッチアーム７６およびイナーシャアーム８０に重ねて配置し、その脚部８５をベース板８２に接着する。更に、保持フレーム８１のホルダ９２に循環フィルタ９４を装着する。これにより、１つのユニットとしてモジュール化されたイナーシャラッチ機構３２が得られる。
【００４３】
なお、イナーシャラッチ機構３２は、別の場所で予め組み立ててもよい。循環フィルタ９４は、イナーシャラッチ機構３２を筐体１０に組み込んだ後に装着してもよい。  
次いで、図６に示すように、第１シェル１０ａの底壁１１上にスピンドルモータ２２およびイナーシャラッチ機構３２を取り付ける。この際、イナーシャラッチ機構３２のベース板８２を底壁１１の内面に接着する。
【００４４】
その後、スピンドルモータ２２に磁気ディスク２０を装着するとともに、第１シェル１０ａの底壁１１上に、ＶＣＭ２８、キャリッジ２６、基板ユニット３４、ランプロード機構３０を順次組み込む。次いで、第２シェル１０ｂを第１シェル１０ａに被せ、ねじ３７、５６、９５により、第２シェルをスピンドルモータ２２の枢軸３６、軸受組立体５２の枢軸５３、およびイナーシャラッチ機構３２の上面板８４にねじ止めする。更に、形成された筐体１０の周囲にシール材１６を巻装し、第１シェル１０ａと第２シェル１０ｂとの隙間をシールする。
【００４５】
続いて、制御回路基板１２を筐体１０の底壁１１外面側にねじ止めするとともに、制御回路基板１２を筐体１０内の基板ユニット３４に電気的に接続する。以上の工程により、ＨＤＤが得られる。
【００４６】
以上のように構成されたＨＤＤによれば、イナーシャラッチ機構３２をモジュール化することにより、イナーシャラッチ機構の取扱いが容易となる。イナーシャラッチ機構３２は、イナーシャアームおよびラッチアームの抜け止め部を備えていることから、組立時、アーム脱落の恐れがなく、部材の取り付け順序を自由に選択できるとともに、シェルを逆さまにしてねじ締めする工程等も可能となる。従って、ＨＤＤの組立性および組立自由度が向上する。イナーシャラッチ機構は、ベース板に立設された枢軸を有していることから、筐体の壁部に枢軸を立設する必要がなく、筐体を小型化、板厚の薄型化を図ることができる。
【００４７】
また、モジュール化したイナーシャラッチ機構３２の保持フレーム８１に付加機能を持たせることが可能となる。上記のように、保持フレーム８１を筐体１０の底壁および天井壁に固定することにより、保持フレーム８１を支柱として利用し、筐体１０の機械的強度を上げることができる。更に、循環フィルタ９５を保持フレーム８１に取り付けることにより、筐体内における部品設置スペースを効率良く利用することが可能となる。  
以上のことから、一層の小型化が可能であるとともに、組み立て性に優れたＨＤＤおよびその製造方法が得られる。
【００４８】
次に、この発明の第２の実施形態に係るＨＤＤについて説明する。図９および図１０は、第２の実施形態に係るＨＤＤのイナーシャラッチ機構３２を示している。本実施形態によれば、保持フレームは、ベース板８２のみを備え、このベース板８２に第１および第２枢軸８３ａ、８３ｂが立設されている。第２枢軸８３ｂの延出端には、外周側に突出したフランジ部９６が形成されている。また、第２枢軸８３ｂの延出端には軸方向に沿って延びたスリットが形成され、フランジ部９６は縮む方向、つまり、フランジ部の径が小さくなる方向に弾性変形可能となっている。
【００４９】
第２枢軸８３ｂは、イナーシャアーム８０の透孔９０に挿通され、イナーシャアームを回動自在に支持している。フランジ部９６は、透孔９０からイナーシャアーム８０の本体８０ａ外面上に突出し、第２枢軸８３ｂからのイナーシャアームの脱落を防止している。すなわち、フランジ部９６は抜け止め部を構成している。これにより、イナーシャラッチ機構３２は１つのユニットとしてモジュール化され、ベース板８２を筐体の底壁内面に固定した状態で、筐体内に配置される。
【００５０】
第２の実施形態において、イナーシャラッチ機構３２の他の構成、およびＨＤＤの他の構成は、前述した第１の実施形態と同一であり、同一の部分には同一の参照符号を付してその詳細な説明を省略する。上記構成の第２の実施形態においても、イナーシャラッチ機構３２をモジュール化することにより、イナーシャラッチ機構の取扱いが容易となる。イナーシャラッチ機構３２は、イナーシャアームおよびラッチアームの抜け止め部を備えていることから、組立時、アーム脱落の恐れがなく、部材の取り付け順序を自由に選択できるとともに、シェルを逆さまにしてねじ締めする工程等も可能となる。従って、ＨＤＤの組立性および組立自由度が向上する。イナーシャラッチ機構は、ベース板に立設された枢軸を有していることから、筐体の壁部に枢軸を立設する必要がなく、筐体を小型化、板厚の薄型化を図ることができる。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５２】
ＨＤＤにおいて、磁気ディスクの枚数は１枚に限らず、必要に応じて増加可能である。この発明は、磁気ディスク装置に限らず、光ディスク装置等の他のディスク装置にも適用することができる。磁気ディスクは、０．８５インチに限らず、１．８インチあるいは２．５インチとしてもよい。
【図面の簡単な説明】
【００５３】
【図１】図１は、この発明の第１の実施形態に係るＨＤＤを示す斜視図。
【図２】図２は、前記ＨＤＤの分解斜視図。
【図３】図３は、前記ＨＤＤの筐体および内部構造を示す平面図。
【図４】図４は、前記ＨＤＤにおけるイナーシャラッチ機構を示す分解斜視図。
【図５】図５は、前記イナーシャラッチ機構を示す斜視図。
【図６】図６は、前記ＨＤＤの一方のシェルおよびこれに組み込まれたイナーシャラッチ機構を示す斜視図。
【図７】図７は、前記ＨＤＤのヘッドアクチュエータ、ＶＣＭ、イナーシャラッチ機構を示す平面図。
【図８】図８は、図１の線Ａ−Ａに沿った前記ＨＤＤの断面図。
【図９】図９は、この発明の第２の実施形態に係るＨＤＤのイナーシャラッチ機構を示す分解斜視図。
【図１０】図１０は、前記イナーシャラッチ機構を示す斜視図。
【符号の説明】
【００５４】
１０…筐体、  １０ａ…第１シェル、  １０ｂ…第２シェル、  １２…制御回路基板、
２０…磁気ディスク、  ２２…スピンドルモータ、  ２４…磁気ヘッド、
２６…キャリッジ、  ２８…ＶＣＭ、  ３２…イナーシャラッチ機構、
３４…基板ユニット、  ７６…ラッチアーム、  ８０…イナーシャアーム、
８１…保持フレーム、  ８２…ベース板、  ８３ａ…第１枢軸、  ８３ｂ…第２枢軸、
８４…上面板、  ９４…循環フィルタ、  ９６…フランジ部
【図１】
0004675791.tif 000002
【図２】
0004675791.tif 000003
【図３】
0004675791.tif 000004
【図４】
0004675791.tif 000005
【図５】
0004675791.tif 000006
【図６】
0004675791.tif 000007
【図７】
0004675791.tif 000008
【図８】
0004675791.tif 000009
【図９】
0004675791.tif 000010
【図１０】
0004675791.tif 000011